(57)【要約】【課題】非使用時や携帯時において充電端子を劣化や変形、破損から保護して信頼性を高め、かつ使用時における感電を防止して安全性の向上を図った充電装置を提供する。【解決手段】ＡＣプラグ１１が設けられた充電電源部１Ａと二次電池３を装着するための電池収容部２０が設けられた電池ホルダ部２Ａとを、ヒンジ部４により開閉可能に結合している。さらに、筐体開閉検出スイッチ４２Ａ及び二次電池装着検出スイッチ３１Ａにより筐体の開閉状態及び二次電池３の装着の有無をそれぞれ判定し、筐体が開きかつ二次電池３が装着された場合に限り、充電回路２２ａから二次電池３に対し充電電圧が供給されるようにしたものである。【選択図】      図１
2006054960.tif 000002
【特許請求の範囲】
【請求項１】
二次電池が着脱自在に装着される電池収容部を備える第１の筐体と、
電源端子を有し、前記第１の筐体の電池収容部に収脱可能に収納されるか又は前記第１の筐体の電池収容部を自己内に収脱可能に収納する第２の筐体と、
前記第１の筐体と前記第２の筐体との間を電気的に接続する接続部と、
前記第１の筐体及び第２の筐体の少なくとも一方に設けられる回路部と
を具備し、
前記回路部は、
前記電源端子を介して外部から供給される電源出力をもとに充電電力を生成し、この生成された充電電力を前記二次電池に供給する充電回路と、
前記第１の筐体に対する第２の筐体の収納状態或いは第２の筐体に対する第１の筐体の収納状態を検出するための第１の検出手段と、
前記第１の筐体の電池収容部に対する前記二次電池の装着状態を検出するための第２の検出手段と、
前記第１及び第２の検出手段の検出結果に基づいて、前記第１の筐体の電池収容部が開放された状態にあり、かつ当該電池収容部に二次電池が装着されていると判定された場合に、前記充電回路から前記二次電池に対する充電電力の供給を許可する第１の制御手段とを備えることを特徴とする充電装置。
【請求項２】
前記回路部は、
前記第１及び第２の検出手段の検出結果に基づいて、前記第１の筐体の電池収容部が開放された状態にあり、かつ当該電池収容部に二次電池が装着されていないと判定された場合に、前記充電回路に充電電力の生成に必要な準備動作を行わせる第２の制御手段を、さらに備えること特徴とする請求項１記載の充電装置。
【請求項３】
前記第１及び第２の筐体はヒンジ部を介して相互に回動可能に結合され、非使用時において前記第１の筐体の電池収容部に第２の筐体が回動収納されるか又は前記第１の筐体が第２の筐体内に回動収納され、一方使用時において前記第１の筐体の電池収容部が開放されて二次電池の装着を可能とすることを特徴とする請求項１記載の充電装置。
【請求項４】
前記第１及び第２の筐体はスライド機構により相互にスライド移動可能に結合され、非使用時において前記第１の筐体の電池収容部に第２の筐体がスライド収納されるか又は前記第１の筐体が第２の筐体内にスライド収納され、一方使用時において前記第１の筐体の電池収容部が開放されて二次電池の装着を可能とすることを特徴とする請求項１記載の充電装置。
【請求項５】
前記第１及び第２の筐体は相互に分離独立可能な構成され、非使用時において前記第１の筐体の電池収容部に第２の筐体が収納されるか又は前記第１の筐体が第２の筐体内に収納され、一方使用時において前記第１の筐体の電池収容部が開放されて二次電池の装着を可能とすると共に、前記第２の筐体と第１の筐体との間は前記コネクタ機構により機械的及び電気的に接続されることを特徴とする請求項１記載の充電装置。
【発明の詳細な説明】
【技術分野】
【０００１】
この発明は、二次電池を充電するための充電装置に関する。
【背景技術】
【０００２】
一般に充電装置は、１個の筐体に二次電池を装着する電池収容部と商用電源をもとに充電電力を生成する充電回路部とを収容した構造となっている。このため、装置の非使用時や携帯時に電池収容部の充電端子が露出したままとなり、この充電端子に塵埃や水滴等が付着して端子の劣化を招いたり、また接触による変形や破損が発生するおそれがあり好ましくなかった。
【０００３】
そこで従来では、電池収容部と充電回路部を別筐体として、これらの筐体を互いに重ね合わせることで収納できるようにした装置が提案されている（例えば、特許文献１を参照。）。このような構造を採用すると、装置の非使用時や携帯時に電池収容部の充電端子が充電回路部の筐体により外部から隠されるので、充電端子を劣化や変形、破損から保護することができる。
【特許文献１】特開平１０−２８４１３４号公報
【発明の開示】
【発明が解決しようとする課題】
【０００４】
ところがこの種の充電装置は、ユーザが商用電源に接続した状態で筐体を開いたり或いは引き出す操作を行った際に、手指等が充電端子に触れて感電を起こす危険があり、対策が望まれていた。
【０００５】
この発明は上記事情に着目してなされたもので、その目的とするところは、非使用時や携帯時において充電端子を劣化や変形、破損から保護して信頼性を高め、かつ使用時における感電を防止して安全性の向上を図った充電装置を提供することにある。
【課題を解決するための手段】
【０００６】
上記目的を達成するためにこの発明に係わる充電装置は、二次電池が着脱自在に装着される電池収容部を備える第１の筐体と、電源端子を有し上記第１の筐体の電池収容部に収脱可能に収納されるか又は前記第１の筐体の電池収容部を自己内に収脱可能に収納する第２の筐体と、これら第１及び第２の筐体間を電気的に接続する接続部と、上記第１及び第２の筐体の少なくとも一方に収容される回路部とを具備する。そして上記回路部に、上記電源端子を介して外部から供給される電源出力をもとに充電電力を生成して、この生成された充電電力を前記二次電池に供給する充電回路と、第１の筐体に対する第２の筐体の収納状態或いは第２の筐体に対する第１の筐体の収納状態を検出するための第１の検出手段と、第１の筐体の電池収容部に対する二次電池の装着状態を検出するための第２の検出手段とを備え、さらに上記第１及び第２の検出手段の検出結果に基づいて、第１の筐体の電池収容部が開放された状態にありかつ当該電池収容部に二次電池が装着されていると判定された場合に、上記充電回路から二次電池に対する充電電力の供給を許可する第１の制御手段を備えたものである。
【０００７】
したがってこの発明によれば、非使用時や携帯時には第１の筐体の電池収容部に第２の筐体が収容されるため、装置の小型化が可能となると共に充電端子を劣化や変形、破損から保護して信頼性の高い装置を提供可能となる。また、充電装置の電源が投入されても、二次電池が装着されない限りは充電動作が行われない。このため、電源が投入された状態でユーザが筐体を開いたり或いは引き出す操作等を行った際に、手指等が充電端子に触れても感電を起こす心配はなくなり、これにより安全に使用することができる。
【０００８】
またこの発明は、上記回路部に第２の制御手段をさらに備え、この第２の制御手段により、第１及び第２の検出手段の検出結果に基づいて、第１の筐体の電池収容部が開放された状態にあり、かつ当該電池収容部に二次電池が装着されていないと判定された場合に、充電回路に充電電力の生成に必要な準備動作を行わせることも特徴とする。
【０００９】
このように構成すると、第１の筐体の電池収容部が開放された時点から電池収容部に二次電池が装着されるまでの間に、充電回路において例えば充電パラメータの読み込みや設定等の充電準備動作を行うことが可能となり、これにより二次電池を装着した際に即座に充電を開始することができる。
【発明の効果】
【００１０】
要するにこの発明によれば、非使用時や携帯時において充電端子を劣化や変形、破損から保護して信頼性を高め、かつ使用時における感電を防止して安全性の向上を図った充電装置を提供することができる。
【発明を実施するための最良の形態】
【００１１】
（第１の実施形態）  
この発明の第１の実施形態は、電池収容部を備える第１の筐体としての電池ホルダ部と、電源プラグが設けられた第２の筐体としての充電電源部とを、ヒンジ部により回動可能に結合し、これにより非使用時において電池ホルダ部の電池収容部に充電電源部を収納可能としている。さらに、電池収容部が開放され、かつこの電池収容部に二次電池が装着されたことが検出された場合にのみ、充電動作を開始するようにしたものである。
【００１２】
図１はこの発明の第１の実施形態に係わる充電装置の使用時における外観を示す斜視図、図２は当該充電装置の非使用時における外観を示す斜視図である。また、図３は当該充電装置の使用時における縦断図、図４は当該充電装置の回路構成を示すブロック図である。
【００１３】
この実施形態の充電装置は、充電電源部１Ａと電池ホルダ部２Ａとをヒンジ部４により回動可能に結合した構成となっている。なお、図３の４１は充電電源部１Ａ内の回路と電池ホルダ部２Ａ内の回路との間を電気的に接続するための筐体間接続端子４１Ａａ，４１Ａｂを有するフレキシブル基板である。
【００１４】
充電電源部１Ａは、ＡＣプラグ１１と電源回路基板１２とを備える。この電源回路基板１２には、家庭内の商用電源ソケットにＡＣプラグ１１を挿着することにより電源が投入される。また、電源回路基板１２には、変圧回路１２ａと整流平滑回路１２ｂが接続されている。供給される商用電源出力は、変圧回路１２ａと整流平滑回路１２ｂを経て変圧し整流され、充電に必要な直流電源電圧と変換され、充電装置内の各充電制御回路部に供給する。
【００１５】
電池ホルダ部２Ａは、電池収容部２０と充電回路基板２２とを備え、このうち電池収容部２０の相対向する２つの内側面には充電端子２１ａ，２１ｂが設けられている。これらの充電端子２１ａ，２１ｂ間には二次電池３が装着される。充電対象の二次電池３としては、ニッケル−カドミウム蓄電池、ニッケル−水素二次電池、リチウムイオン二次電池等がある。また、電池収容部２０の底面には、二次電池装着検出スイッチ３１Ａが設けてある。この二次電池装着検出スイッチ３１Ａは、二次電池３が装着されたときに検出信号を発生して後述する主制御回路２２ｂに与える。
【００１６】
一方、充電回路基板２２には、充電回路２２ａ、主制御回路２２ｂ、電圧測定回路２２ｃおよび充電制御スイッチ２２ｄが設けられている。二次電池３の電圧は電圧測定回路２２ｃで測定される。充電回路２２ａは、充電時には充電制御スイッチ２２ｄをオンにして二次電池３の充電動作を行う。そして、電圧測定回路２２ｃにおいて測定された電圧をもとに、満充電を検出すると充電制御スイッチ２２ｄをオフにして充電端子への充電電流の供給を遮断する。満充電の検出は、例えば−ΔＶ（マイナス・デルタ電圧）方式による検出方法を用いることができる。その他にも、温度測定素子を用いて二次電池の温度を測定し、温度微分制御方式やΔＴ制御方式等によって検出を行ってもよい。
【００１７】
また主制御回路２２ｂには、上記二次電池装着検出スイッチ３１Ａに加え、筐体開閉検出スイッチ４２Ａが接続される。筐体開閉検出スイッチ４２Ａは例えばヒンジ部４に設けられ、電池ホルダ部２Ａに対する充電電源部１Ａの開閉状態を検出し、その検出信号を主制御回路２２ｂに伝える。主制御回路２２ｂは、上記各検出スイッチ４２Ａ，３１Ａから供給される検出信号をもとに、上記電池ホルダ部２Ａに対する充電電源部１Ａの開閉状態、及び電池収容部２０に対する二次電池３の装着の有無を判定し、これらの判定結果に基づいて充電回路２２ａの動作を制御する。
【００１８】
以上のように構成された充電装置における充電動作について説明する。図５は、充電装置の充電制御手順および制御内容を示すフローチャートである。  
ＡＣプラグ１１が商用電源ソケットに装着されると、変圧回路１２ａ及び整流平滑回路１２ｂにより動作電圧が生成されて充電装置内の各回路に供給され、これにより各回路は動作可能状態となる。動作可能になると主制御回路２２ｂは、先ずステップＳ５ａにおいて筐体開閉検出スイッチ４２Ａの状態を判定する。この判定の結果、電池ホルダ部２Ａが開いていない状態であれば、筐体が開かれて使用時状態になるのを待ち受ける。
【００１９】
これに対し電池ホルダ部２Ａが開いたことが検出されると、主制御回路２２ｂはステップＳ５ｂに移行して、電池収容部２０に二次電池３が装着されているか否かを二次電池装着検出スイッチ３１Ａの検出信号をもとに判定する。そして、二次電池３が装着されていない場合にはステップＳ５ｄに移行し、充電回路１２ａをスタンバイ状態にする。スタンバイ状態とは、例えば充電に必要なパラメータ等を主制御回路２２ｂから充電回路２２ａに与え、この充電パラメータにより充電回路２２ａの動作状態を初期設定する動作であり、この状態ではまだ充電制御スイッチ２２ｄはオン状態にされない。このため、充電端子１２ａ，１２ｂに充電電圧が印加されることはない。
【００２０】
一方、上記ステップＳ５ｂの判定において、二次電池３の装着が検出されたとする。この場合主制御回路２２ｂは、ステップＳ５ｃに移行して充電回路２２ａに充電動作の開始を指示する。この結果、充電回路２２ａは充電制御スイッチ２２ｄをオン状態にして二次電池３に対する充電動作を開始する。
【００２１】
以上のように第１の実施形態では、ＡＣプラグ１１が設けられた充電電源部１Ａと二次電池３を装着するための電池収容部２０が設けられた電池ホルダ部２Ａとを、ヒンジ部４により回動（開閉）可能に結合している。さらに、筐体開閉検出スイッチ４２Ａ及び二次電池装着検出スイッチ３１Ａにより筐体の開閉状態及び二次電池３の装着の有無をそれぞれ判定し、筐体が開きかつ二次電池３が装着された場合に限り、充電回路２２ａから二次電池３に対し充電電圧が供給されるようにしている。
【００２２】
したがって、非使用時には電池ホルダ部２Ａに設けられた電池収容部２０に充電電源部１Ａが収納されるため、携帯に便利な小型の充電装置を提供可能となる。また、非使用時には充電端子１２ａ，１２ｂが充電電源部１Ａにより外部から隠されるため、充電端子１２ａ，１２ｂを劣化や変形、破損から保護して信頼性の高い装置を提供可能となる。
【００２３】
さらに、充電装置に電源が投入されても、二次電池３が装着されていない場合は充電動作が開始されないため、ユーザが筐体を開く操作等を行った際に、手指等が充電端子１２ａ，１２ｂに触れても感電を起こす心配はなくなり、これにより安全に使用することができる。
【００２４】
（第２の実施形態）  
この発明の第２の実施形態は、電池ホルダ部と充電電源部とをスライド機構により相互にスライド移動可能に結合し、充電装置の非使用時において電池ホルダ部をスライドさせて充電電源部の内部に収納できるようにしたものである。  
図６はこの発明の第２の実施形態に係わる充電装置の使用時における外観を示す斜視図、図７は当該充電装置の非使用時における外観を示す斜視図である。また、図８は当該充電装置の使用時における縦断図、図９は当該充電装置の回路構成を示すブロック図である。なお、これらの図において前記図１、図２、図３及び図４と同一部分には同一符号を付して詳しい説明は省略する。
【００２５】
充電電源部１Ｂの内部には、電池ホルダ部２Ｂの収容スペースと、スライド機構が設けられている。これらの構造は、充電電源部１Ｂ内に対する電池ホルダ部２Ｂの進退動作、つまり引き出し及び押し込みを可能にする。すなわち、充電装置の使用時には、充電電源部１Ｂから電池ホルダ部２Ｂを引き出し、その電池収容部２０に二次電池３を装着する。非使用時においては、電池ホルダ部２Ｂを充電電源部１Ｂ内に押し込み、これにより電池収容部２０を充電電源部１Ｂ内に収納する。なお、使用時においては、図８の筐体間接続端子４１Ｂａ，４１Ｂｂにより充電電源部１Ｂ内の回路と電池ホルダ部２Ｂ内の回路との間が電気的に接続される。
【００２６】
また、電池収容部２０の底面には二次電池装着検出スイッチ３１Ｂが設けてある。この二次電池装着検出スイッチ３１Ｂは、電池収容部２０に二次電池３が装着された時にオンとなって検出信号を主制御回路２２ｂに与える。なお、二次電池装着検出スイッチ３１Ｂは、充電電源部１Ｂと対向する面を傾斜面としており、これにより充電電源部１Ｂ内への電池ホルダ２Ｂのスライド収納が阻害されないようになっている。
【００２７】
また、充電電源部１Ｂ内の電池ホルダ部２Ｂの収容スペース内には、筐体開閉検出スイッチ４２Ｂが設けてある。この筐体開閉検出スイッチ４２Ｂは、充電電源部１Ｂ内への電池ホルダ部２Ｂの収納状態を検出するもので、その検出信号を上記主制御回路２２ｂに与える。
【００２８】
主制御回路２２ｂは、上記二次電池装着検出スイッチ３１Ｂ及び筐体開閉検出スイッチ４２Ｂから供給される検出信号をもとに、上記充電電源部１Ｂに対する電池ホルダ部２Ｂの収納の有無、及び電池収容部２０に対する二次電池３の装着の有無をそれぞれ判定し、この判定結果に基づいて充電回路２２ａの動作を制御する。
【００２９】
このような構成であるから、非使用時においては充電電源部１Ｂに設けられた収納スペースに電池ホルダ部２Ｂが押し込まれてスライド収納される。このため、前記第１の実施形態と同様に、携帯に便利な小型の充電装置を提供可能となり、かつ充電端子１２ａ，１２ｂを劣化や変形、破損から保護して信頼性の高い装置を提供可能となる。さらに、充電装置に電源が投入されても、二次電池３が装着されていない場合は充電動作が開始されない。このため、ユーザが電池ホルダ部２Ｂを充電電源部１Ｂから引き出す際に、手指等が充電端子１２ａ，１２ｂに触れても感電を起こす心配はなくなり、これにより安全性を確保することができる。
【００３０】
しかも第２の実施形態では、充電電源部１Ｂの内部に電池ホルダ部２Ｂを収納できるように構成されている。このため、ヒンジ部４を用いて充電電源部１Ａと電池ホルダ部２Ａとの間を結合した第１の実施形態の構成に比べ、比較的簡単な構造により実現できる利点がある。
【００３１】
（第３の実施形態）  
この発明の第３の実施形態は、電池ホルダ部と充電電源部とを分離独立可能に構成し、これらをコネクタにより機械的及び電気的に接続可能に構成したものである。  
図１０はこの発明の第３の実施形態に係わる充電装置の使用時における外観を示す斜視図、図１１は当該充電装置の非使用時における外観を示す斜視図である。また、図１２は当該充電装置の使用時における縦断図である。なお、これらの図において前記図１、図２及び図３と同一部分には同一符号を付して詳しい説明は省略する。
【００３２】
充電電源部１Ｃ及び電池ホルダ部２Ｃはそれぞれ独立する筐体により構成されている。そして、電池ホルダ部２Ｃには雄型コネクタ５ａが設けられ、一方充電電源部１Ｃには雌型コネクタ５ｂが設けられている。これらのコネクタ５ａ，５ｂは装置の使用時に嵌着され、これにより充電電源部１Ｃと電池ホルダ部２Ｃとは機械的及び電気的に接続される。
【００３３】
このような構成であるから、装置の使用時には、上記したようにコネクタ５ａ，５ｂにより充電電源部１Ｃと電池ホルダ部２Ｃとを連結して使用する。一方非使用時は、コネクタ５ａ，５ｂを外すことにより充電電源部１Ｃと電池ホルダ部２Ｃとを分離する。そして、図１１に示すように電池ホルダ部２Ｃの電池収容部２０に充電電源部１Ｃを重ね合わせて収納する。
【００３４】
したがって、第３の実施形態においても、前記第１及び第２の実施形態と同様に携帯に便利な小型の充電装置を提供可能となり、さらに充電端子１２ａ，１２ｂを劣化や変形、破損から保護して信頼性の高い装置を提供可能となる。また、ＡＣプラグ１１を商用電源ソケットに装着しても、二次電池３が装着されていない限り充電電力は出力されない。このため、ユーザが電池ホルダ部２Ｃを充電電源部１Ｃから取り外す際に、手指等が充電端子１２ａ，１２ｂに触れても感電を起こす心配はなくなり、これにより安全性を確保することができる。
【００３５】
（第４の実施形態）  
この発明の第４の実施形態は、電池ホルダ部と充電電源部とを分離独立可能に構成し、かつこれらをケーブル６により電気的に接続可能としたものである。  
図１３はこの発明の第４の実施形態に係わる充電装置の使用時における外観を示す斜視図、図１４は当該充電装置の非使用時における外観を示す斜視図である。また、図１５は当該充電装置の使用時における縦断図である。なお、これらの図において前記図１０、図１１及び図１２と同一部分には同一符号を付して詳しい説明は省略する。
【００３６】
充電電源部１Ｄ及び電池ホルダ部２Ｄはそれぞれ独立する筐体により構成されている。そして、充電電源部１Ｄにはケーブル６が固定的に接続されている。ケーブル６の先端部にはコネクタ６ａが取着されており、このコネクタ６ａは電池ホルダ部２Ｄに設けられたコネクタ６ｂに装着される。
【００３７】
このような構成であるから、装置の使用時には、上記したようにケーブル６のコネクタ６ａを電池ホルダ部２Ｄのコネクタ６ｂに装着した状態で、充電電源部１Ｄを電池ホルダ部２Ｄから取り外し、これにより電池収容部２０を露出させて二次電池３の装着を可能にする。一方非使用時においては、ケーブル６のコネクタ６ａを電池ホルダ部２Ｄのコネクタ６ｂに接続したまま、図１４に示すように電池ホルダ部２Ｄの電池収容部２０に充電電源部１Ｄを重ね合わせて収納する。
【００３８】
したがって、第４の実施形態においても、前記第３の実施形態と同様の効果を得ることができる。しかも、充電電源部１Ｄと電池ホルダ部２Ｄとをケーブル６により接続しているので、使用時において充電電源部１Ｄと電池ホルダ部２Ｄとをそれぞれ自由な状態にして使用することができる。これにより、狭い場所に設けられた商用電源ソケットにも容易に接続することが可能となる。
【００３９】
なお、上記説明では図１４に示したようにケーブル６のコネクタ６ａを電池ホルダ部２Ｄのコネクタ６ｂに接続したまま電池ホルダ部２Ｄの電池収容部２０に充電電源部１Ｄを重ね合わせて収納するようにした。しかしそれに限らず、例えば図１６に示すように、電池ホルダ部２Ｄのコネクタ６ｂからケーブル６のコネクタ６ａを取り外し、このケーブル６を電池ホルダ部２Ｄに設けられた溝部に通して、その先端のコネクタ６ａを充電電源部１Ｄまたは電池ホルダ部２Ｄに設けられたコネクタ保持部（図示せず）に保持させるように構成してもよい。このように構成しても、非使用時や携帯時における充電装置の小型化を図ることができる。
【００４０】
（その他の実施形態）  
なお、この発明は上記各実施形態に限定されるものではない。例えば、使用時または非使用時状態において、充電電源部と電池ホルダ部とが筐体部分にそれぞれツメと受け孔を設けたロック機構、または磁力やマジックテープなどを用いて固定される構成とすることも可能である。
【００４１】
その他、第１及び第２の筐体の形状や構成、第１及び第２の筐体間の結合手段及び接続手段、第１及び第２の制御手段による制御手順と制御内容等についても、この発明の要旨を逸脱しない範囲で種々変形して実施できる。  
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００４２】
【図１】この発明の第１の実施形態に係わる使用時における充電装置の外観を示す斜視図。
【図２】図１に示した充電装置の非使用時における充電装置の外観を示す斜視図。
【図３】図１に示した充電装置の使用時における充電装置の縦断図。
【図４】図１に示した充電装置の回路構成を示すブロック図。
【図５】図１に示した充電装置による充電制御手順と制御内容を示すフローチャート
【図６】この発明の第２の実施形態に係わる使用時における充電装置の外観を示す斜視図。
【図７】図６に示した充電装置の非使用時における充電装置の外観を示す斜視図。
【図８】図６に示した充電装置の使用時における充電装置の縦断図。
【図９】図６に示した充電装置の回路構成を示すブロック図。
【図１０】この発明の第３の実施形態に係わる使用時における充電装置の外観を示す斜視図。
【図１１】図１０に示した充電装置の非使用時における充電装置の外観を示す斜視図。
【図１２】図１０に示した充電装置の使用時における充電装置の縦断図。
【図１３】この発明の第４の実施形態に係わる使用時における充電装置の外観を示す斜視図。
【図１４】図１３に示した充電装置の非使用時における充電装置の第１の構成例を示す斜視図。
【図１５】図１３に示した充電装置の使用時における充電装置の縦断図。
【図１６】図１３に示した充電装置の非使用時における充電装置の第２の構成例を示す斜視図。
【符号の説明】
【００４３】
１Ａ，１Ｂ，１Ｃ，１Ｄ…充電電源部、１１…ＡＣプラグ、１２…電源回路基板、１２ａ…変圧回路、１２ｂ…整流平滑回路、２Ａ，２Ｂ，２Ｃ，２Ｄ…電池ホルダ部、２０…電池収容部、２１ａ，２１ｂ…充電端子、２２…充電制御回路基板、２２ａ…充電回路、２２ｂ…主制御回路、２２ｃ…電圧測定回路、２２ｄ…充電制御スイッチ、３…二次電池、３１Ａ，３１Ｂ…二次電池装着検出スイッチ、４…ヒンジ部、４１…フレキシブル基板、４１Ａａ，４１Ａｂ，４１Ｂａ，４１Ｂｂ…筐体間接続端子、４２Ａ，４２Ｂ…筐体開閉検出スイッチ、５ａ，５ｂ，６ａ，６ｂ…コネクタ、６…ケーブル。
【図１】
2006054960.tif 000003
【図２】
2006054960.tif 000004
【図３】
2006054960.tif 000005
【図４】
2006054960.tif 000006
【図５】
2006054960.tif 000007
【図６】
2006054960.tif 000008
【図７】
2006054960.tif 000009
【図８】
2006054960.tif 000010
【図９】
2006054960.tif 000011
【図１０】
2006054960.tif 000012
【図１１】
2006054960.tif 000013
【図１２】
2006054960.tif 000014
【図１３】
2006054960.tif 000015
【図１４】
2006054960.tif 000016
【図１５】
2006054960.tif 000017
【図１６】
2006054960.tif 000018